(57)【要約】【課題】槽を乾燥させてかびの発生を抑制できるようにする。【解決手段】第１に、槽洗浄コースに、温風供給装置による温風の供給を行うことによって洗浄後の槽を乾燥させる「槽乾燥」行程が含まれるようにした。第２に、「槽乾燥」行程を、洗濯物の洗濯を含む他の行程と組み合わせのコースの中で実行することを可能とした。第３に、槽を乾燥させる槽乾燥運転を、それ単独で実行することを可能とした。これらにより、槽に水分を残さず、かびの発生を抑制できる。【選択図】　図１
2004049254.tif 000002
【特許請求の範囲】
【請求項１】
槽を縦軸状に具えると共に、その槽の内部に温風を供給する温風供給装置を具え、洗濯物の洗濯と、脱水、及び乾燥をすることが可能であるほかに、前記槽を洗浄する槽洗浄コースを実行することが可能なものにおいて、
前記槽洗浄コースに、前記温風供給装置による温風の供給を行うことによって洗浄後の前記槽を乾燥させる槽乾燥行程が含まれることを特徴とする洗濯乾燥機。
【請求項２】
槽を縦軸状に具えると共に、その槽の内部に温風を供給する温風供給装置を具え、洗濯物の洗濯と、脱水、及び乾燥をすることが可能なものにおいて、
前記温風供給装置による温風の供給を行うことにより前記槽を乾燥させる槽乾燥行程を、前記洗濯物の洗濯を含む他の行程と組み合わせのコースの中で実行することを可能とした洗濯乾燥機。
【請求項３】
槽を縦軸状に具えると共に、その槽の内部に温風を供給する温風供給装置を具え、洗濯物の洗濯と、脱水、及び乾燥をすることが可能なものにおいて、
前記温風供給装置による温風の供給を行うことにより前記槽を乾燥させる槽乾燥運転を、それ単独で実行することを可能とした洗濯乾燥機。
【発明の詳細な説明】
【０００１】
【発明の属する技術分野】
本発明は、槽を乾燥させることを可能とした洗濯乾燥機に関する。
【０００２】
【従来の技術】
近年、供されている洗濯乾燥機は、槽の内部に温風を供給する温風供給装置を具えることによって、洗濯物の洗濯と脱水のほかに、乾燥をすることができるようにしたものである。
【０００３】
【発明が解決しようとする課題】
しかしながら、上記従来の洗濯乾燥機でも、洗濯物の洗濯と脱水を行っただけの状態では、槽に水分が残り、それがかびの発生を誘う原因となっていた。
本発明は上述の事情に鑑みてなされたものであり、従ってその目的は、槽を乾燥させてかびの発生を抑制できる洗濯乾燥機を提供するにある。
【０００４】
【課題を解決するための手段】
上記目的を達成するために、本発明の洗濯乾燥機は、第１に、槽を縦軸状に具えると共に、その槽の内部に温風を供給する温風供給装置を具え、洗濯物の洗濯と、脱水、及び乾燥をすることが可能であるほかに、前記槽を洗浄する槽洗浄コースを実行することが可能なものにおいて、その槽洗浄コースに、前記温風供給装置による温風の供給を行うことによって洗浄後の前記槽を乾燥させる槽乾燥行程が含まれることを特徴とするものである。
【０００５】
槽を縦軸状に具える洗濯乾燥機においては、洗濯時に、槽がその周囲の全部を、しかも、かなりの高さまで、水に浸漬される事情にあり、このため、洗濯物の洗濯、脱水後に槽に残る水分が多く、かびが発生しやすい事情にある。
これに対して、上述のようにしたものでは、槽洗浄コースを実行することで槽が乾燥されるので、槽に水分を残さず、かびの発生を抑制できる。
【０００６】
本発明の洗濯乾燥機は、第２に、槽を縦軸状に具えると共に、その槽の内部に温風を供給する温風供給装置を具え、洗濯物の洗濯と、脱水、及び乾燥をすることが可能なものにおいて、前記温風供給装置による温風の供給を行うことにより前記槽を乾燥させる槽乾燥行程を、前記洗濯物の洗濯を含む他の行程と組み合わせのコースの中で実行することを可能としたものである。
このものによれば、洗濯物の洗濯をする行程のほかに槽乾燥行程を含むコースを実行することで槽が乾燥されるので、槽に水分を残さず、かびの発生を抑制できる。
【０００７】
本発明の洗濯乾燥機は、第３に、槽を縦軸状に具えると共に、その槽の内部に温風を供給する温風供給装置を具え、洗濯物の洗濯と、脱水、及び乾燥をすることが可能なものにおいて、前記温風供給装置による温風の供給を行うことにより前記槽を乾燥させる槽乾燥運転を、それ単独で実行することを可能としたものである。
このものによれば、単独の槽乾燥運転を実行することで槽が乾燥されるので、槽に水分を残さず、かびの発生を抑制できる。
【０００８】
【発明の実施の形態】
以下、本発明の第１実施例につき、図１ないし図５を参照して説明する。
まず、図２には、洗濯乾燥機の全体構成を示しており、外箱１の内部に槽２を配設している。この槽２は、外槽２ａと内槽２ｂの二重槽から成るもので、それらはともに有底の円筒形を成している。これに対して、外箱１は下面に開口部３を有する直方体状を成しており、この外箱１の上部から吊下した複数本の吊り棒４ａを主体とする支持機構４により外槽２ａを、ひいては槽２の全体をその軸心線が上下方向となる縦軸状に、そして揺動可能に支持している。
【０００９】
内槽２ｂは外槽２ａの内部に回転可能に配設しており、この内槽２ｂの内下部には撹拌体５を同じく回転可能に配設し、この撹拌体５と内槽２ｂとを選択的に回転駆動する一般にモータを主体とする駆動装置６（詳しくは図示せず）を、外槽２ａの外下方部に配設している。
一方、内槽２ｂの上縁部には回転バランサ７を取付けており、又、外槽２ａの上縁部にはリング状の槽カバー８を取付けていて、この槽カバー８に、内蓋９を後側（図中左側）でヒンジ１０により上下に開閉可　　能に枢着している。
【００１０】
内蓋９には、例えば複数の横長スリットから成る通気孔１１を形成しており、その裏側には、通気孔１１の全部を覆うフィルタ１２を取付けている。このフィルタ１２は、図示しない洗濯物（衣類）から散出するリント（糸屑）を捕獲する例えば目の細かい網や繊維等から成っている。
そして、前記外箱１上にはトップカバー１３を装着しており、このトップカバー１３には、上記内蓋９、ひいては内槽２ｂ内に臨む洗濯物出入口１４を形成すると共に、該出入口１４を開閉する、この場合、２つ折り構造の蓋１５を枢着している。
【００１１】
又、このトップカバー１３の後部には、温風供給装置１６を配設している。この温風供給装置１６は、詳細には、トップカバー１３の最後部に配設した、送風羽根１７ａと、これを囲繞するケーシング１７ｂ、及び送風羽根１７ａを回転駆動するモータ１７ｃから成る送風機１７と、この送風機１７のケーシング１７ｂに連通させて該送風機１７の前方に配設したヒータケース１８、ヒータケース１８内に配設したヒータ１９、及びヒータケース１８から前記槽カバー８の後部に形成した温風吹込口２０を接続した、伸縮性や可撓性に富む例えば蛇腹状の接続ホース２１から成っている。
【００１２】
そして更に、トップカバー１３の前部には、制御装置２２を内設している。この制御装置２２は、例えばマイクロコンピュータを主体に構成したもので、洗濯乾燥機の運転を後述のように制御する制御手段として機能するようになっている。
【００１３】
次いで、図３は、前記トップカバー１３の前部の上面に設けた操作パネル２３を示している。この操作パネル２３は、電源「入」スイッチ２４、及び電源「切」スイッチ２５を有すると共に、「スタート（一時停止）」選択スイッチ２６、「ふろ水」（給水ポンプ）使用選択スイッチ２７、「コース」選択スイッチ２８、「脱水」時間選択スイッチ２９、「すすぎ」回数選択スイッチ３０、「洗い」時間選択スイッチ３１、「予約」設定スイッチ３２、「水位」選択スイッチ３３、「槽洗浄」コース選択スイッチ３４、「乾燥」時間選択スイッチ３５、及び「槽乾燥コース」選択スイッチ３６を有しており、そのほか、それらの選択又は設定の内容や有無を表示する表示部３７〜４５を有している。
【００１４】
図４は、前記制御装置２２を中心とした電気的構成を示しており、制御装置２２には、上記操作パネル２３が有した各種スイッチ２４〜３６から各種スイッチ信号が入力されると共に、前記槽２（外槽２ａ）内の水位を検知するように設けた水位センサ４６から水位検知信号が入力され、更に、前記蓋１５の開閉に応動するように設けた蓋スイッチ４７から蓋開閉応動信号が入力され、前記槽２内の温度を検知するように設けた温度センサ４８から温度検知信号が入力されるようになっている。
【００１５】
そして、それらの入力並びにあらかじめ記憶された制御プログラムに基づいて、制御装置２２は、前記操作パネル２３が有した各種表示部３７〜４５を制御すると共に、報知器であるブザー４９と、槽２内（内槽２ｂ内）に給水するように設けた給水弁５０と、槽２内から排水するように設けた排水弁５１、駆動装置６（モータ）、ヒータ１９、及び送風機１７を、駆動回路５２を介して制御するようになっている。
【００１６】
そこで、以下には、上記制御装置２２で制御する洗濯乾燥機の運転について述べる。
操作パネル２３において「槽洗浄」コース選択スイッチ３４が操作されると、制御装置２２は図１に示す「槽洗浄コース」を実行する。この「槽洗浄」コースにおいては、行程が、「給水」、「つけ置き」、「洗い」、「残水脱水」、「排水」、「脱水」、「給水」、「すすぎ」、「残水脱水」、「排水」、「槽乾燥」の順に実行される。
【００１７】
このうち、「給水」行程は、給水弁５０を開放させて槽２内に洗濯時の最高水位である「高」水位よりも更に３０秒間多くの水量を給水するものであり、これによって、内槽２ｂ、特にはこれの洗濯時に水に触れる最も高い部分より更に高い部分までが外槽２ａ内の水中に浸漬される。又、その給水が途中の所定の水位に達してからは、駆動装置６により撹拌体５を例えば正逆両方向に間欠的に回転させる。
【００１８】
「つけ置き」行程は、内槽２ｂを外槽２ａ内の水中に浸漬させたまま、撹拌体５を例えば正逆両方向に間欠的に回転させるのを、例えば２０秒の間で行う。　　「洗い」行程は、更に、内槽２ｂを外槽２ａ内の水中に浸漬させたまま、撹拌体５を例えば正逆両方向に間欠的に回転させるのを、例えば３分の間で行う。なお、これらの「つけ置き」及び「洗い」行程の前には、槽２の洗浄に適した洗剤を槽２内に投入しておくことが必要である。
【００１９】
「残水脱水」行程は、排水弁５１を開放させて槽２内から排水しつつ、すなわち、槽２内に水を残しつつ、駆動装置６により内槽２ｂを間欠的に回転させて遠心脱水をするのを、例えば５０秒の間で行う。
「排水」行程は、排水弁５１を開放させて槽２内から排水するものである。　　「脱水」行程は、排水弁５１を開放させて槽２内から排水する状態のもとに、駆動装置６により内槽２ｂを例えば３０秒間回転させて遠心脱水をするのを、例えば５０秒の間で行う。
「すすぎ」行程は、前記「洗い」行程同様に行う。
【００２０】
そして、「槽乾燥」行程は、排水弁５１を開放させて槽２内から排水する状態のもとに、駆動装置６により内槽２ｂを例えば１００〔ｒｐｍ〕の速度で例えば４分４０秒間回転させつつ、温風供給装置１６を作動させる。温風供給装置１６の作動は、送風機１７における送風羽根１７ａの回転と、ヒータ１９の発熱であり、送風羽根１７ａはその回転により、図１に矢印で示すごとく、トップカバー１３の背部の吸気口５３から外箱１外の空気をケーシング１７ｂ内に吸入し、そしてヒータケース１８内に送入する。このヒータケース１８内に送入された空気は、そこで発熱中のヒータ１９により加熱されて温風化され、すなわち、温風が生成される。
【００２１】
生成された温風は、接続ホース２１を通って温風吹込口２０から外槽２ａ内に吹き込み供給され、更に内槽２ｂ内に吹き込み供給されて、それら外槽２ａ及び内槽２ｂ、すなわち、槽２に付着して残った水分を蒸発させる。
そして、その槽２から蒸発した水分を含んだ温風が、その後、内槽２ｂの周側部にある多数の通孔（図示せず）や内槽２ｂの上端開口から出て、フィルタ１２を通り、更に、内蓋９の通気孔１１から外槽２ａと外箱１との間を通って、外箱１の下面の開口部３から外部に排出される。これをたとえば５分の間で行うことにより、槽２を乾燥させる。
【００２２】
なお、このとき、内槽２ｂを上述の例えば１００〔ｒｐｍ〕の速度で回転させることにより、内槽２ｂを全体均一に乾燥させることができる。
そして、「槽乾燥」行程の後には、ブザー４９を例えば１５秒間作動させ、その後に電源を自動的に遮断（オートパワーオフ）して「槽洗浄コース」の全作動を終了する。
【００２３】
一方、前記操作パネル２３において「槽乾燥コース」選択スイッチ３６が操作されると、制御装置２２は、図５に示すように、電源の投入により開始（スタート）した作動のルーチン中、「槽乾燥コース」選択スイッチ３６が操作されたか否かの判断をするステップＳ１において、操作された（ＹＥＳ）と判断し、次に、「スタート」選択スイッチ２６が操作されたか否かの判断をする（ステップＳ２）。
【００２４】
上記ステップＳ２で、操作された（ＹＥＳ）と判断されれば、制御装置２２は、次に、「洗い」、「すすぎ」、「脱水」の行程を順次実行する（ステップＳ３〜Ｓ５）。そのうち、洗濯行程である、「洗い」行程と「すすぎ」行程は、洗濯物を収容した内槽２ｂ内から外槽２ａ内に、前記給水弁５０によって供給される水（洗濯水）を溜め、この状態で、駆動装置６により撹拌体５を回転させることにより、洗濯物を洗濯水と共に撹拌して洗濯（洗い、すすぎ）を行う。なお、周知のように、「洗い」行程は水に洗剤を含んで実行し、「すすぎ」行程は水に洗剤を含まずに実行する。
【００２５】
「脱水」行程では、内槽２ｂを回転させることにより、該内槽２ｂ内の洗濯物の水分を、遠心力で、内槽２ｂの周側部の前記通孔から振り切って（遠心脱水）、排水弁５１及び図示しない排水ホースを通じ機外に排出する。
【００２６】
「脱水」行程後、制御装置２２は、蓋スイッチ４７から出力される蓋開閉応動信号により蓋１５の開閉があったか否かの判断をする（ステップＳ６）。ここで、「脱水」行程後、槽２内の洗濯物を取出すためには、蓋１５を開ける必要があり、その後、槽乾燥を行うためには、開けた蓋１５を閉じる必要がある（槽乾燥は、蓋１５が閉鎖状態にあることを条件に行うようになっている）。従って、ここでの蓋１５の開閉があったか否かの判断は、槽２内から洗濯物が取出されたか否かの判断であって、更に、槽乾燥を行い得る状態になっているか否かの判断である。
【００２７】
上記ステップＳ６で、蓋１５の開閉があった（ＹＥＳ：槽２内から洗濯物が取出され、更に、槽乾燥を行い得る状態になった）と判断されれば、制御装置２２は、次に「槽乾燥」行程を実行する（ステップＳ７）。この「槽乾燥」行程は、前記「槽洗浄コース」の「槽乾燥」行程と同様に行う。
そして、その「槽乾燥」行程の終了をもって「槽乾燥コース」の全作動を終了する。
【００２８】
なお、ステップＳ１で、「槽乾燥コース」選択スイッチ３６が操作されない（ＮＯ）と判断されれば、次に、「スタート」選択スイッチ２６が操作されたか否かの判断をして（ステップＳ８）、操作された（ＹＥＳ）と判断されれば、「標準コース」として、「洗い」、「すすぎ」、「脱水」の行程を順次実行し（ステップＳ９〜Ｓ１１）、該「標準コース」の全作動を終了する。
【００２９】
なお、「標準コース」の終了後、操作パネル２３において「乾燥」時間選択スイッチ３５で乾燥時間を選択し、その上で、「スタート」選択スイッチ２６を操作すれば、選択した時間、温風供給装置１６が例えば撹拌体５と内槽２ｂとの交互の回転を伴って作動されることにより、槽２内に前述のごとく供給される温風にて洗濯物が乾燥される。
【００３０】
このように本構成のものでは、洗濯物の洗濯と、脱水、及び乾燥をすることが可能であるほかに、槽２を洗浄する槽洗浄コースを実行することが可能なものにおいて、その槽洗浄コースに、温風供給装置１６による温風の供給を行うことによって洗浄後の槽２を乾燥させる槽乾燥行程を含んでいる。これにより、槽洗浄コースを実行することで槽２が乾燥されるので、槽２に水分を残さず、かびの発生を抑制できる。
【００３１】
又、本構成のものでは、上記温風供給装置１６による温風の供給を行うことにより槽２を乾燥させる槽乾燥行程を、洗濯物の洗濯を含む他の行程と組み合わせのコース（槽乾燥コース）の中で実行することを可能ともしている。これにより、その槽乾燥行程を含むコースを実行することで槽２が乾燥されるので、上述同様、槽２に水分を残さず、かびの発生を抑制できる。
【００３２】
以上に対して、図６ないし図１１は本発明の第２ないし第５実施例を示すもので、それぞれ、第１実施例と同一の部分には同一の符号を付して説明を省略し、異なる部分についてのみ述べる。
［第２実施例］
図６及び図７に示す第２実施例においては、まず、図６に示すように、操作パネル２３に、前記「槽乾燥コース」選択スイッチ３６に代わって、「槽乾燥」選択スイッチ６１を設けている。
【００３３】
又、図７に示すように、制御装置２２は、前述のステップＳ１に代わるステップＳ２１で、「コース」選択スイッチ２８によるコースの選択操作に加えて、「槽乾燥」選択スイッチ６１が操作されたか否かの判断をするようにしており、このステップＳ２１で、操作された（ＹＥＳ）と判断されれば、前述のステップＳ２を経た後に、「コース」選択スイッチ２８により選択されたコースの各行程（洗濯行程を含む）を実行（ステップＳ２２）し、その後に前述のステップＳ６、Ｓ７を経ることで、槽乾燥コースを実行する。
【００３４】
すなわち、この場合の槽乾燥コースは、「コース」選択スイッチ２８により選択されたコースの各行程に、槽乾燥行程を組み合わせるものであるが、第１実施例同様に、槽乾燥行程を、洗濯物の洗濯を含む他の行程と組み合わせのコースの中で実行するものであり、従って、第１実施例同様の、槽２に水分を残さず、かびの発生を抑制できる効果が得られる。
なお、この場合、ステップＳ１で、操作されない（ＮＯ）と判断されれば、前述のステップＳ８を経た後に、「コース」選択スイッチ２８により選択されたコースの各行程のみを実行する（ステップＳ２３）。
【００３５】
［第３実施例］
図８及び図９に示す第３実施例においては、まず、図８に示すように、操作パネル２３に、上述の「槽乾燥」選択スイッチ６１も、又、前述の「槽乾燥コース」選択スイッチ３６も、更に表示部４５も設けていない。
【００３６】
又、この場合、制御装置２２は、図９に示すように、前述のステップＳ１に代わるステップＳ３１で、「コース」選択スイッチ２８によるコースの選択操作に加えて、前記「乾燥」時間選択スイッチ３５が操作されたか否かの判断をするようにしており、このステップＳ３１で、操作された（ＹＥＳ）と判断されれば、前述のステップステップＳ２を経た後に、上述のステップＳ２２を経、更にその後に前述のステップＳ６を経て、上記「乾燥」時間選択スイッチ３５により選択された時間の槽乾燥行程（ステップＳ３２）を経ることで、槽乾燥コースを実行する。
【００３７】
すなわち、この場合の槽乾燥コースも、「コース」選択スイッチ２８により選択されたコースの各行程に、槽乾燥行程を組み合わせるもので、要するに、槽乾燥行程を、洗濯物の洗濯を含む他の行程と組み合わせのコースの中で実行するものであり、従って、第１実施例同様の、槽２に水分を残さず、かびの発生を抑制できる効果が得られる。
なお、この場合、ステップＳ１で、操作されない（ＮＯ）と判断されれば、前述のステップＳ８を経た後に、上述のステップＳ２３を経る。
【００３８】
［第４実施例］
図１０に示す第４実施例においては、制御装置２２が、槽乾燥コースの設定をした（ステップＳ４１）後、槽乾燥コース以外の他のコースが選択されたか否かの判断をし（ステップＳ４２）、このステップＳ４２で、選択されない（ＮＯ）と判断されれば、前述のステップＳ２を経て槽乾燥コースを実行する（ステップＳ４３）が、選択された（ＹＥＳ）と判断されれば、設定を不可とする（ステップＳ４４）。
すなわち、この場合には、槽乾燥コースとその他のコースとの組み合わせ設定ができないようにしている。
【００３９】
［第５実施例］
図１１に示す第５実施例においては、操作パネル２３の「乾燥」時間選択スイッチ３５についての表示部４４における最低選択時間である「１」（１時間）表示部分に、「槽乾燥」の表示７１を加えて設けている（「槽乾燥コース」選択スイッチ３６と表示部４５は設けていない）。
【００４０】
これにより、槽２内に洗濯物を入れずに、「乾燥」時間選択スイッチ３５で「槽乾燥」の表示７１部分（「１」表示部分）を選択し、その上で、「スタート」選択スイッチ２６を操作すれば、１時間、温風供給装置１６が例えば撹拌体５と内槽２ｂとの交互の回転を伴って作動されることにより、前述のごとく供給される温風にて槽２が乾燥される。
【００４１】
すなわち、この場合には、槽２を乾燥させる槽乾燥運転を、他の行程と組み合わせることをせず、それ単独で実行するもので、これによっても、槽２に水分を残さず、かびの発生を抑制できる効果が得られる。
なお、「乾燥」時間選択スイッチ３５で槽乾燥を行うとき（第３、第５実施例）の所要時間は上述より短くしても良い。
このほか、本発明は上記し且つ図面に示した実施例にのみ限定されるものではなく、要旨を逸脱しない範囲内で適宜変更して実施し得る。
【００４２】
【発明の効果】
以上説明したように、本発明の洗濯乾燥機によれば、槽洗浄コースにおける槽乾燥行程や、洗濯物の洗濯を含む他の行程と組み合わせのコースにおける槽乾燥行程、もしくは単独の槽乾燥運転により、槽を乾燥させてかびの発生を抑制することができる。
【図面の簡単な説明】
【図１】本発明の第１実施例を示す槽洗浄コースの行程内容図
【図２】洗濯乾燥機全体の縦断側面図
【図３】操作パネルの平面図
【図４】電気的構成のブロック図
【図５】フローチャート
【図６】本発明の第２実施例を示す図３相当図
【図７】図５相当図
【図８】本発明の第３実施例を示す図３相当図
【図９】図５相当図
【図１０】本発明の第４実施例を示すフローチャート
【図１１】本発明の第５実施例を示す図３相当図
【符号の説明】
２は槽、１６は温風供給装置、２２は制御装置、２８は「コース」選択スイッチ、３４は「槽洗浄」コース選択スイッチ、３５は「乾燥」時間選択スイッチ、３６は「槽乾燥コース」選択スイッチ、６１は「槽乾燥」選択スイッチ、７１は「槽乾燥」表示を示す。
【図１】
2004049254.tif 000003
【図２】
2004049254.tif 000004
【図３】
2004049254.tif 000005
【図４】
2004049254.tif 000006
【図５】
2004049254.tif 000007
【図６】
2004049254.tif 000008
【図７】
2004049254.tif 000009
【図８】
2004049254.tif 000010
【図９】
2004049254.tif 000011
【図１０】
2004049254.tif 000012
【図１１】
2004049254.tif 000013